(57)【要約】      （修正有）【課題】包装材から切り起こして突出させたフック片を有する包装箱のフック片の強度を向上させたおよび物品包装体を提供する。【解決手段】包装箱１０は、少なくとも一端に開口１５を有し、内部に収容部が形成されるように包装材を矩形状に折り曲げ、かつ接合して形成された本体部１ａ，８ａと；開口１５の一方の辺縁部１５ａから一体的に突出し、開口１５を閉塞するように折り曲げられた蓋部３と；蓋部３が開口を閉塞したときに他方の辺縁部近傍に位置する蓋部３の部位に形成された係止溝５と；他方の辺縁部１５ｂから一体的に突出し、係止溝５に差し込み可能な係止片６と；係止片６が突出する部位の他方の辺縁部１５ｂに折り曲げ線が形成されるように係止片６よりも小さい幅で切起こされたフック片７と；を具備する。【選択図】  図１
2004299699.tif 000002
【特許請求の範囲】
【請求項１】
少なくとも一端に開口を有し、内部に収容部が形成されるように包装材を矩形状に折り曲げ、かつ接合して形成された本体部と；
本体部の開口の一方の辺縁部から一体的に突出し、開口を閉塞するように折り曲げられた蓋部と；
この蓋部の先端から一体的に突出し、蓋部が開口を閉塞したときに開口の一方の辺縁部に対向する他方の辺縁部側と係合するように折り曲げられた差し込みフラップと；
蓋部が開口を閉塞したときに他方の辺縁部近傍に位置する蓋部または差し込みフラップの少なくとも一方の部位に形成された係止溝と；
他方の辺縁部から一体的に突出し、係止溝に差し込み可能なように本体部の一部に切り溝が形成され、他方の辺縁部の位置で折り曲げられた係止片と；
係止片が突出する部位の他方の辺縁部に折り曲げ線が形成されるように係止片よりも小さい幅で切起こされたフック片と；
を具備していることを特徴とする包装箱。
【請求項２】
フック片は本体部側に形成された切起こし溝によって切起こされていることを特徴とする請求項１記載の包装箱。
【請求項３】
請求項１または２記載の包装箱と；
包装箱内に収容された物品と；
を具備していることを特徴とする物品包装体。
【発明の詳細な説明】
【０００１】
【発明の属する技術分野】本発明は、包装箱およびこれを用いた物品包装体に関する。
【０００２】
【従来の技術】ダンボールまたは厚紙を切り抜いて形成した包装材を内部に収容部が形成されるように矩形状に折り曲げ、かつ、接合して形成した包装箱は、古くから各種物品を包装する際に多用されている。
【０００３】
この包装箱を吊り金具などに吊り下げて商品展示するために、包装箱の上部にフック片を突出させるものが知られている。このフック片を別個の材料で形成すると包装材料のコストが高くなってしまうので、フック片は包装材の本体部から切起こして突出させる構造がよく用いられている（例えば、特許文献１参照）。
【０００４】
図５ないし７は、従来のフック片を備えた包装箱を示し、図５は正面斜視図、図６は背面斜視図、図７は展開図をそれぞれ示す。各図において、１００は包装箱であり、１０１は主面、１０２は蓋部、１０３は差し込みフラップ、１０４は側面部、１０５は底面部、１０６はフック片、１０７は糊しろである。
【０００５】
この包装箱１００を展開した状態では、主面１０１は、折り込み時に正面側および背面側に平行に対向するように底面部１０５を介して一対設けられ、その両側には側面部１０４または糊しろ１０７がそれぞれ一体的に設けられている。そして一方の主面１０１の底面部１０５とは反対側の端部には蓋部１０３およびこの蓋部１０３の先端側で連続する差し込みフラップ１０３が設けられている。これらは一枚のダンボールまたは厚紙を型抜きし、かつ各部の境界線に折り曲げ溝（図中「破線」で示す。）が形成された一枚の包装材から形成され、包装箱１００はこの包装材を折り込むことで組み立てられている。
【０００６】
また、フック片１０６は、主面１０１に形成された切込み溝によって切起こされている。フック片１０６は、蓋部１０３と主面１０１との境界線に形成された折り曲げ溝を利用して切起こされている。フック片１０６には、吊り金具などが挿通可能な挿通孔ｈが形成されている。
【０００７】
【特許文献１】実開昭５７−１９６６８９号公報
【０００８】
【発明が解決しようとする課題】
【０００９】
上記従来の包装箱１００は、フック片１０６に過度の荷重がかかると、フック片１０６の切込み溝の端部を起点として蓋部１０２側に亀裂が発生することがある。これは、フック片１０６と蓋部１０２とが折り曲げ溝を介して連続して形成されており、フック片１０６が切り起こされた状態では、フック片１０６と蓋部１０２とは互いに直交する方向に折り曲げられているためである。すなわち、包装箱１００の荷重は、フック片１０６を蓋部１０２から引き剥がす方向に引っ張る力となって加わるため、フック片１０６の切込み溝の端部を起点として亀裂が蓋部１０２方向に発生してしまう。この亀裂が発生すると、フック片１０６による吊り下げ状態が不安定になり、亀裂が大きくなるとフック片１０６が蓋部１０２から剥がれ、包装箱１００が吊り金具から落下するおそれがあるという問題があった。
【００１０】
本発明は、包装材から切り起こして突出させたフック片の強度を向上させた包装箱および物品包装体を提供することを目的とする。
【００１１】
【課題を達成するための手段】
請求項１の包装箱は、少なくとも一端に開口を有し、内部に収容部が形成されるように包装材を矩形状に折り曲げ、かつ接合して形成された本体部と；本体部の開口の一方の辺縁部から一体的に突出し、開口を閉塞するように折り曲げられた蓋部と；この蓋部の先端から一体的に突出し、蓋部が開口を閉塞したときに開口の一方の辺縁部に対向する他方の辺縁部側と係合するように折り曲げられた差し込みフラップと；蓋部が開口を閉塞したときに他方の辺縁部近傍に位置する蓋部または差し込みフラップの少なくとも一方の部位に形成された係止溝と；他方の辺縁部から一体的に突出し、係止溝に差し込み可能なように本体部の一部に切り溝が形成され、他方の辺縁部の位置で折り曲げられた係止片と；係止片が突出する部位の他方の辺縁部に折り曲げ線が形成されるように係止片よりも小さい幅で切起こされたフック片と；を具備していることを特徴とする。
【００１２】
本発明および以下の各発明において、特に指定しない限り用語の定義および技術的意味は次による。
【００１３】
本体部は、少なくとも周方向の四つの平面部によって構成されていて、横断面が矩形状をなし、その内部に被包装物品を収納する矩形状の収容部が形成されている。本体部は被包装物品の形状に合わせた適当な縦横比および長さを設定することが許容される。そして、本体部は少なくとも一端に開口を有している。なお、「包装材」とは、包装箱を形成するのに適当な材料を意味し、たとえば厚紙、段ボール紙、プラスチックスシート材などである。また、被包装物品および包装箱は、特別な物品および特別な包装箱に限定されない。
【００１４】
本体部は、包装材を切り抜き、折り曲げ、かつ、所要部分を接着剤や固着具などにより接合して形成されている。
【００１５】
本体部の収容部は、開口を介して収容物品を収容可能に形成され、少なくとも四つの平面部によって囲まれた空間内に形成されるものである。
【００１６】
蓋部は、本体部の一端において、一方の辺縁部から一体に突出して形成されている。蓋部は、本体部の周方向の平面部に直交する平面を有しており、開口を閉塞するように開閉可能に構成されている。蓋部は、一方の辺縁部を折り曲げ線として折り込むことによって開閉可能に構成されており、開口を閉塞する。
【００１７】
差し込みフラップは、蓋部の先端から一体的に突出して折り曲げられており、蓋部が開口を閉塞したときに他方の辺縁部側と係合する部分である。係合の手段としては、開口の他方の辺縁部よりも収容部側の本体部の内面と接触することや、他のフラップとの係合などが挙げられる。
【００１８】
係止溝は、蓋部または差し込みフラップの少なくとも一方（これらの境界線上を含む）の部位に所定の幅で形成されている。この係止溝は、蓋部が開口を閉塞したときに開口の一方の辺縁部に対向する他方の辺縁部（蓋部が開口を閉塞したときに差し込みフラップが差し込まれる側に位置する開口の辺縁部）の近傍に位置する部分に形成される。
【００１９】
係止片は、他方の辺縁部から一体的に突出するものであり、係止溝に差し込み可能なようにほぼ他方の辺縁部の位置で折り曲げられている。この係止片が係止溝に差し込まれることによって蓋部が係止され、開口の閉塞状態を保持する。係止溝への差し込みを容易にするために、係止片の基端部から本体部の一部に連続して一対の切り溝を形成し、係止片を揺動可能にしてもよい。
【００２０】
フック片は、他方の辺縁部に折り曲げ線が形成されるように係止片よりも小さい幅で係止片が突出する部位に本体部または係止片から切起こされたものである。
【００２１】
次に、本発明の作用について説明する。蓋部は、収容物品を収容部に収容した後、折り曲げによって開口を閉塞する。このとき、係止溝が他方の辺縁部の近傍に位置するので、係止片を係止溝に差し込み、蓋部が開口が閉塞した状態で蓋部を係止する。
【００２２】
フック片は、蓋部とは独立して切起こされたものであるので、フック片が引っ張られても蓋部に亀裂が発生することは無い。また、包装箱の荷重がフック片に加わり、フック片を本体部から引き剥がす方向に引っ張る力が発生したとしても、蓋部が係止状態にあるので、フック片が引っ張られてもフック片の基端部を起点として亀裂が発生するほどフック片が変移することは無い。
【００２３】
請求項１の発明によれば、フック片の強度が向上するので、フック片の基端部を起点とした亀裂が発生して包装箱の吊り下げ状態が不安定になったり、フック片が本体部から剥がれて包装箱が落下するという不具合を抑制することができる。
【００２４】
請求項２は、請求項１記載の包装箱において、フック片は本体部側に形成された切起こし溝によって切起こされていることを特徴とする。
【００２５】
請求項２の発明によれば、フック片が本体部側に形成された切起こし溝によって切起こされているので、係止片の寸法に影響されること無く、所望の大きさでフック片を形成することができる。
【００２６】
請求項３の物品包装体は、請求項１または２記載の包装箱と；包装箱内に収容された物品と；を具備していることを特徴とする。
【００２７】
本発明において、「物品包装体」とは、包装箱とその内部に収容された物品との組み合わせをいう。したがって、本発明においては、請求項１ないし３の作用、効果を奏する物品包装体が得られる。
【００２８】
【発明の実施の形態】以下、図面を参照して本発明の実施の形態を説明する。
【００２９】
図１ないし４は、本発明の包装箱の一実施形態を示し、図１は包装箱の斜視図、図２は図１の包装箱の開口を閉塞した状態を示す斜視図、図３は図１の包装箱の展開図、図４は図３の要部拡大図である。各図において、１０は包装箱であり、１ａ，１ｂは本体部の主面、２、２は一対のフラップ、３は蓋部、４は差込みフラップ、５は係止溝、６は係止片、７はフック片である。
【００３０】
包装箱１０を組み立てる包装材は、一枚のダンボールまたは厚紙を型抜きして、かつ各部の境界線に折り曲げ溝（図中「破線」で示す。）が形成された一枚の包装材から形成されている。包装箱１０はこの包装材を折り込むことで組み立てられている。
【００３１】
この包装箱１０を展開した状態では、主面１ａ，１ｂは、折り込み時に正面側および背面側に平行に互いに対向するように一方の側面部８ａを介して一対設けられている。一方の主面１ａの上方の辺縁部には、蓋部３が突出して形成されている。主面１ａの一方の側面部８ａの反対側には、他方の側面部８ｂが形成されている。蓋部３には、差し込みフラップ４が一体的に設けられており、この蓋部３と差し込みフラップ４との境界線上に係止溝５が所定の高さおよび幅寸法で形成されている。
【００３２】
一方の主面１ａの蓋部３の反対側の端部には、底面部を構成する底部９が差し込みフラップ１０とともに形成されている。一方および他方の側面部８ａ，８ｂの上下端部それぞれに一対のフラップ２，２が形成されている。他方の主面１ｂの一方の側面部８ａの反対側の端部には、糊しろ１１が形成されている。
【００３３】
他方の主面１ｂの上方には、図４に示すように、係止片６が一体的に設けられている。この係止片６は、係止溝５への差し込みを容易にするために、係止片６の基端部（主面１ｂの上方の辺縁部）から主面１ｂの一部に連続して一対の切り溝１２，１２が形成されており、係止片６を揺動可能にしている。係止片６は、切り溝１２，１２の端部間および主面１ｂの上方の辺縁部に形成された２本の平行な折り曲げ溝によって折り曲げが可能になっている。なお、本体部の底面部側にもこの係止片６および係止溝５と同様の構造を有する係止片６’および係止溝５’が主面１ｂの底部側および底部９にそれぞれ設けられている。
【００３４】
主面１ｂの上方の辺縁部から主面１ｂ側には、略Ｕ字状の切り起こし溝１３が形成されており、この切り起こし溝１３および上方の辺縁部に形成された折り曲げ溝よってフック片７が切り起こされる。フック片７には、吊下げ金具などが挿通可能なように挿通孔ｈが穿孔されている。
【００３５】
包装箱１０が組み立てられた状態において、主面１ａ，１ｂおよび側面部８ａ，８ｂからなる平面部がなす本体部の上方には開口１５が形成され、この開口１５は環形蛍光ランプを収容部（図示しない）に収容した後、蓋部３を折り込むことによって閉塞される。
【００３６】
この開口１５の蓋部３が突出する側の一方の辺縁部１５ａ（主面１ａの上方の辺縁部）に蓋部３の折り曲げ溝が形成されている。また、一方の辺縁部１５ａに対向する開口１５の他方の辺縁部１５ｂ（主面１ｂの上方の辺縁部）からは係止片６が突出することになる。
【００３７】
次に、本実施形態の作用について説明する。まず、環形蛍光ランプを収容部（図示しない）に収容した後、蓋部３を折り込むことによって開口１５を閉塞する。そして、係止溝５が他方の辺縁部１５ｂの近傍に位置することになる。そこで、係止片６を係止溝５に差し込む。この係止溝５と係止片６との係止によって、蓋部３が開口１５を閉塞した状態で係止されることになる。
【００３８】
次に、フック片７を他方の辺縁部１５ｂに沿って形成された折り曲げ溝を利用して切り起こす。このフック片７は、包装箱１０の吊り下げが不要な場合には、切り起こさなければ、主面１ｂと面一状態を保つので、通常の包装箱として利用することが可能である。
【００３９】
ここでフック片７は、蓋部３とは独立して切起こされているので、フック片７が引っ張られたとしても、蓋部３に亀裂が発生することは無い。また、包装箱１０の荷重がフック片７に加わり、フック片７を本体部から引き剥がす方向に引っ張る力が発生したとしても、蓋部３が係止状態にあるので、フック片７が引っ張られにくく、フック片７の他方の辺縁部１５ｂ上の基端部を起点として亀裂が発生するほどフック片７が変移することは無い。
【００４０】
このように、フック片７が蓋部３から独立して切起こされ、かつフック片７が係止状態にある蓋部３によって上方に引っ張られにくくなっているので、フック片７の強度が向上し、フック片７の基端部を起点とした亀裂が発生しにくい。これにより、包装箱１０の吊り下げ状態が不安定になったり、フック片７が本体部から剥がれて包装箱１０が落下するという不具合を抑制できる。
【００４１】
【発明の効果】本発明によれば、包装箱に設けられたフック片の強度が向上するので、フック片の基端部を起点とした亀裂が発生して包装箱の吊り下げ状態が不安定になったり、フック片が本体部から剥がれて包装箱が落下するという不具合を抑制することができる。
【図面の簡単な説明】
【図１】本発明の包装箱の第１の実施形態を示す斜視図。
【図２】図１の包装箱の開口を閉塞した状態を示す斜視図。
【図３】図１の包装箱の展開図。
【図４】図３の要部拡大図。
【図５】従来のフック片を備えた包装箱を示す正面斜視図。
【図６】図５の包装箱の背面斜視図。
【図７】図５の包装箱の展開図。
【符号の説明】
１ａ，１ｂ，８ａ，８ｂ…本体部を構成する平面部、３…蓋部、４…差し込みフラップ、５…係止溝、６…係止片、７…フック片、１０…包装箱、１３…切起こし溝、１５…開口、１５ａ…一方の辺縁部、１５ｂ…他方の辺縁部。
【図１】
2004299699.tif 000003
【図２】
2004299699.tif 000004
【図３】
2004299699.tif 000005
【図４】
2004299699.tif 000006
【図５】
2004299699.tif 000007
【図６】
2004299699.tif 000008
【図７】
2004299699.tif 000009